(57)【要約】【解決手段】医療品ステーションが開示される。この医療品ステーションは、医療品を保持するよう構成された安全確保可能なコンパートメントと、コントローラと、を備える。コントローラは、アクセス情報に応答して、アクセス情報が安全確保可能なコンパートメントへのアクセスが許可されていることを示す場合は安全確保可能なコンパートメントへのアクセスを選択的に許可し、かつ、アクセス情報が安全確保可能なコンパートメントへのアクセスが許可されないことを示す場合は安全確保可能なコンパートメントへのアクセスを制限するよう構成される。医療品ステーションは、駆動されると、コントローラによって要求されるアクセス情報をバイパスし、安全確保可能なコンパートメントへのアクセスを実質的に即座に許可するよう構成されたクリティカルアクセスモジュールを含む。医療品ステーションは、クリティカルアクセスモジュールと結合され、クリティカルアクセスモジュールの駆動に応答して本医療品ステーションの近くの領域の少なくともひとつの画像を取得するよう構成された撮像デバイスをさらに含む。【選択図】図４
2013501267.tif 000002
【特許請求の範囲】
【請求項１】
医療品を保持するよう構成された少なくともひとつの安全確保可能なコンパートメントと、
アクセス情報に応答して、前記アクセス情報が前記少なくともひとつの安全確保可能なコンパートメントへのアクセスが許可されていることを示す場合は前記少なくともひとつの安全確保可能なコンパートメントへのアクセスを選択的に許可し、かつ、前記アクセス情報が前記少なくともひとつの安全確保可能なコンパートメントへのアクセスが許可されないことを示す場合は前記少なくともひとつの安全確保可能なコンパートメントへのアクセスを制限するよう構成されたコントローラと、
駆動されると、前記コントローラによって要求されるアクセス情報をバイパスし、前記少なくともひとつの安全確保可能なコンパートメントへのアクセスを実質的に即座に許可するよう構成されたクリティカルアクセスモジュールと、
前記クリティカルアクセスモジュールと結合され、前記クリティカルアクセスモジュールの駆動に応答して本医療品ステーションの近くの領域の少なくともひとつの画像を取得するよう構成された撮像デバイスと、を備える、医療品ステーション。
【請求項２】
複数の安全確保可能なコンパートメントをさらに備え、
前記クリティカルアクセスモジュールによって許可される実質的に即座なアクセスは前記少なくともひとつの安全確保可能なコンパートメントに限定される、請求項１に記載のステーション。
【請求項３】
前記少なくともひとつの安全確保可能なコンパートメントは前記クリティカルアクセスモジュールと結合されたインジケータを含み、
前記インジケータは前記クリティカルアクセスモジュールの駆動に際して駆動され、前記少なくともひとつの安全確保可能なコンパートメントを示す、請求項１に記載のステーション。
【請求項４】
前記撮像デバイスはカメラを含む、請求項１に記載のステーション。
【請求項５】
前記撮像デバイスはビデオカメラを含む、請求項１に記載のステーション。
【請求項６】
前記撮像デバイスは前記少なくともひとつの画像を離れた場所に出力する、請求項１に記載のステーション。
【請求項７】
前記撮像デバイスは、前記クリティカルアクセスモジュールを駆動するユーザの期待される位置の少なくともひとつと、本医療品ステーションを囲む領域と、前記少なくともひとつの安全確保可能なコンパートメントと、を含む視野を含む、請求項１に記載のステーション。
【請求項８】
前記クリティカルアクセスモジュールはスイッチを含む、請求項１に記載のステーション。
【請求項９】
前記クリティカルアクセスモジュールは生体認証デバイスを含む、請求項１に記載のステーション。
【請求項１０】
前記クリティカルアクセスモジュールは、前記クリティカルアクセスモジュールを駆動しようとするユーザの識別情報を記憶する、請求項９に記載のステーション。
【請求項１１】
前記クリティカルアクセスモジュールは、前記クリティカルアクセスモジュールに実質的に即座に入力されるよう構成された第２アクセス情報に応答する、請求項１に記載のステーション。
【請求項１２】
第２アクセス情報は生体認証入力を含む、請求項１０に記載のステーション。
【請求項１３】
前記第２アクセス情報は磁気的入力を含む、請求項１０に記載のステーション。
【請求項１４】
前記第２アクセス情報はリアルタイムロケーティングシステムから受け取られた情報を含む、請求項１０に記載のステーション。
【請求項１５】
前記コントローラは、前記クリティカルアクセスモジュールが所定回数駆動された後、前記クリティカルアクセスモジュールによる前記少なくともひとつの安全確保可能なコンパートメントへのアクセスを制限するよう構成される、請求項１に記載のステーション。
【請求項１６】
離れた場所に前記クリティカルアクセスモジュールの駆動を示す信号を送信するよう構成されたトランシーバをさらに備える、請求項１に記載のステーション。
【請求項１７】
医療品を保持するよう構成された少なくともひとつの安全確保可能なコンパートメントへと、
ユーザにより駆動されると、前記少なくともひとつの安全確保可能なコンパートメントへのアクセスを実質的に即座に許可するよう構成されたクリティカルアクセスモジュールと、
物品頒布デバイスに前記ユーザの識別情報を提供するよう構成されたトランシーバと、を備える、医療品ステーション。
【請求項１８】
前記クリティカルアクセスモジュールと結合され、前記クリティカルアクセスモジュールの駆動に応答して本医療品ステーションの近くの領域の少なくともひとつの画像を取得するよう構成された撮像デバイスをさらに備える、請求項１７に記載のステーション。
【請求項１９】
緊急の医療品頒布のための方法であって、
医療品ステーションのクリティカルアクセスモジュールが駆動されたか否かを決定することと、
前記クリティカルアクセスモジュールが駆動された場合、医療品を保持するよう構成された少なくともひとつの安全確保可能なコンパートメントへのアクセスを制限するよう構成されているコントローラによって要求されるアクセス情報をバイパスし、前記少なくともひとつの安全確保可能なコンパートメントへのアクセスを実質的に即座に許可することと、
前記クリティカルアクセスモジュールの駆動に応答して、前記医療品ステーションの近くの領域の少なくともひとつの画像を取得することと、を含む、方法。
【請求項２０】
前記クリティカルアクセスモジュールの駆動に際して前記少なくともひとつの安全確保可能なコンパートメントを示すよう構成されたインジケータ、を駆動することをさらに含む、請求項１７に記載の方法。
【請求項２１】
前記少なくともひとつの画像を離れた場所に出力することをさらに含む、請求項１７に記載の方法。
【請求項２２】
前記クリティカルアクセスモジュールが駆動され、かつ、第２アクセス情報が前記クリティカルアクセスモジュールに提供された場合に、前記コントローラによって要求されるアクセス情報がバイパスされる、請求項１７に記載の方法。
【請求項２３】
前記クリティカルアクセスモジュールが所定回数駆動された後、前記少なくともひとつの安全確保可能なコンパートメントへのアクセスを制限することをさらに含む、請求項１７に記載の方法。
【請求項２４】
複数のステップを行うことによって医療品ステーションを制御するために、プロセッサにインストラクションを実行させるコンピュータ実行可能インストラクションを有するコンピュータ読み取り可能媒体であって、前記複数のステップは、
医療品ステーションのクリティカルアクセスモジュールが駆動されたか否かを決定することと、
前記クリティカルアクセスモジュールが駆動された場合、医療品を保持するよう構成された少なくともひとつの安全確保可能なコンパートメントへのアクセスを制限するよう構成されているコントローラによって要求されるアクセス情報をバイパスし、前記少なくともひとつの安全確保可能なコンパートメントへのアクセスを実質的に即座に許可することと、
前記クリティカルアクセスモジュールの駆動に応答して、前記医療品ステーションの近くの領域の少なくともひとつの画像を取得することと、を含む、媒体。
【発明の詳細な説明】
【技術分野】
【０００１】
本開示は主にヘルスケアを提供する装置および方法に関し、特に薬剤などの医療品への制御されたアクセスを通じて患者にケアを提供することに関する。
【背景技術】
【０００２】
医療のコミュニティ、特に病院においては、中央に設けられた薬剤および補給品の頒布ステーションを提供することがよく知られている。そのようなステーションは例えばウォールキャビネットや手動で安全確保される患者カセット式引き出しや自動化された頒布機器である。そのように一般にアクセス可能なステーションは、患者への薬および補給品の分配を含む、種々の役割を果たす。
【発明の概要】
【発明が解決しようとする課題】
【０００３】
ステーション内に含まれる薬および補給品へのアクセスをユーザに提供するためには、多くの場合、適切な認証が必要とされる。適切な認証は名前およびパスワードなどの認証情報を手動で入力することを含み、そのような適切な認証には多くの場合時間がかかる。そのような認証を要求することのひとつの不利な点は、ステーション内の薬および補給品へのアクセスが、認証情報を入力するのに必要な時間に比例して遅延することである。ステーション内に含まれる薬または他の医療品が即座に要求されるような緊急または非常事態においては、薬にアクセスする際のそのような遅延は患者の健康に大きな差を生じうる。代替的に、ステーション内の薬および補給品にアクセスするためになんら認証が要求されない場合、ユーザを識別し薬および補給品の使用を追跡することが困難となるであろう。
【課題を解決するための手段】
【０００４】
本明細書に開示される薬剤ステーションの実施の形態は、ユーザが、認証情報を入力する必要無しに、薬剤ステーション内の薬および補給品へ実質的に即座にアクセスできるようにするクリティカルアクセスモジュールを提供する。薬および補給品へのアクセスは撮像デバイスによって追跡される。撮像デバイスはクリティカルアクセスモジュールのユーザによって活性化される。
【０００５】
本開示のある実施の形態によると、医療品ステーションが提供される。医療品ステーションは、医療品を保持するよう構成された少なくともひとつの安全確保可能なコンパートメントと、コントローラと、を備える。コントローラは、アクセス情報に応答して、アクセス情報が少なくともひとつの安全確保可能なコンパートメントへのアクセスが許可されていることを示す場合は少なくともひとつの安全確保可能なコンパートメントへのアクセスを選択的に許可するよう構成される。コントローラは、アクセス情報が少なくともひとつの安全確保可能なコンパートメントへのアクセスが許可されないことを示す場合は少なくともひとつの安全確保可能なコンパートメントへのアクセスを制限するよう構成される。医療品ステーションは、駆動されると、コントローラによって要求されるアクセス情報をバイパスし、少なくともひとつの安全確保可能なコンパートメントへのアクセスを実質的に即座に許可するよう構成されたクリティカルアクセスモジュールを含む。医療品ステーションはさらに、クリティカルアクセスモジュールと結合され、クリティカルアクセスモジュールの駆動に応答して医療品ステーションの近くの領域の少なくともひとつの画像を取得するよう構成された撮像デバイスを含む。
【０００６】
本開示のある態様によると、緊急の医療品頒布のための方法が提供される。この方法は、医療品ステーションのクリティカルアクセスモジュールが駆動されたか否かを決定することと、クリティカルアクセスモジュールが駆動された場合、医療品を保持するよう構成された少なくともひとつの安全確保可能なコンパートメントへのアクセスを制限するよう構成されているコントローラによって要求されるアクセス情報をバイパスし、少なくともひとつの安全確保可能なコンパートメントへのアクセスを実質的に即座に許可することと、を含む。この方法は、クリティカルアクセスモジュールの駆動に応答して、医療品ステーションの近くの領域の少なくともひとつの画像を取得することを含む。
【０００７】
本開示の他の実施の形態によると、複数の所定のステップを行うことによって医療品ステーションを制御するために、プロセッサにインストラクションを実行させるコンピュータ実行可能インストラクションを有するコンピュータ読み取り可能媒体が提供される。これらのステップは、医療品ステーションのクリティカルアクセスモジュールが駆動されたか否かを決定することと、クリティカルアクセスモジュールが駆動された場合、医療品を保持するよう構成された少なくともひとつの安全確保可能なコンパートメントへのアクセスを制限するよう構成されているコントローラによって要求されるアクセス情報をバイパスし、少なくともひとつの安全確保可能なコンパートメントへのアクセスを実質的に即座に許可することと、を含む。これらのステップは、クリティカルアクセスモジュールの駆動に応答して、医療品ステーションの近くの領域の少なくともひとつの画像を取得することを含む。
【０００８】
添付の図面はさらなる理解を提供するために含められており、また本明細書に統合され本明細書の一部をなす。添付の図面は、開示の実施の形態を説明し、開示の実施の形態の原理を説明するのに役に立つ説明を有する。
【図面の簡単な説明】
【０００９】
【図１Ａ】ある実施の形態に係る薬剤ステーションを示す図である。
【図１Ｂ】ある実施の形態に係る別の薬剤ステーションを示す図である。
【図２】図２Ａ−２Ｂは、図１Ａの薬剤ステーションと共に使用されるよう構成されたクリティカルアクセスモジュールを示す図である。
【図３】クリティカルアクセスモジュールが駆動された後の図１Ａの薬剤ステーションを示す図である。
【図４】セキュリティネットワークと結合された図１Ａの薬剤ステーションを示す図である。
【図５】図１Ａの薬剤ステーションによって離れた観察場所に送信される画像を示す図である。
【図６】ある実施の形態に係る別の薬剤ステーションを示す図である。
【発明を実施するための形態】
【００１０】
以下の詳細な説明では、本開示の十分な理解を提供するために、多くの特定の詳細が説明される。しかしながら、本開示の実施の形態はこれらの特定の詳細のうちのいくつかを備えることなく実施可能であることは、当業者には明らかであろう。他の例では、開示を分かりにくくしないために、よく知られた構成や技術は詳述されない。
【００１１】
図１Ａは、ある実施の形態に係る薬剤ステーション１００を示す図である。薬剤ステーション１００は、少なくともひとつの引き出し（または安全確保可能なコンパートメント）１０２と、コントローラ１０４と、クリティカルアクセスモジュール１１０と、撮像デバイス１２０と、を含む。
【００１２】
薬剤ステーション１００は、薬剤の頒布を提供するよう構成される。薬剤ステーション１００はコントローラ（例えば、電子的インタフェース）１０４を通じて、介護士などの権限を有するユーザが、薬剤ステーション１００に安全に保持されている薬剤にアクセスすることを可能とする。一方、薬剤ステーション１００は、権限の無いユーザに対してはアクセスを制限する。
【００１３】
薬剤ステーション１００は複数のモジュール化されたストレージコンパートメントを含み、それらはここでは引き出し１０２として示されている。使用される引き出し１０２の数およびタイプは、薬剤ステーション１００を使用する施設の薬剤および補給品につてのニーズにマッチするよう、薬剤ステーション１００の中でカスタマイズ可能である。ある実施の形態では、引き出し１０２の構成は、カージナルヘルスインク、ダブリン、オハイオ（Cardinal Health, Inc, Dublin, Ohio）の製品でメッドステーション（MedStation）自動化された薬剤管理システムとして知られている、現在市販の製品に見られる引き出し構成と同様のものであってもよい。メッドステーションシステムは異なる種類の引き出し１０２で構成されうる。そのような異なる種類の引き出し１０２は、キュービィ（CUBIE）レセプタクルを伴う引き出しや、異なる高さを有するマトリックス引き出しや、ミニドロアー（MiniDrawers）を含む。キュービィ、マトリックス（Matrix）およびダブルディープマトリックス（Double Deep Matrix）は当業者には理解される用語である。本明細書で開示されるシステムおよび方法にしたがって使用、変更および／または構成されうる薬剤ステーションは米国特許第６１１６４６１号および第６３３８００７号に十分に開示されており、それらの特許は参照により本明細書に組み入れられる。しかしながら、そのようなステーションは単に例示であり、本明細書で開示されるシステムおよび方法は他の頒布ステーションにも使用されうる。
【００１４】
コントローラ１０４はユーザによって提供されるアクセス情報に応答する。コントローラ１０４は、ユーザにより提供されるアクセス情報がユーザが引き出し１０２へのアクセスを有することを示す場合は引き出し１０２へのアクセスを選択的に許可するよう構成され、かつ、コントローラ１０４は、ユーザのアクセス情報がユーザが引き出し１０２へのアクセスを有さないことを示す場合は引き出し１０２へのアクセスを制限する。コントローラ１０４は例えば、キーボードおよびディスプレイを含むコンピュータ端末であってもよい。例えば、コントローラ１０４の基本的な機能および構成は、上述の米国特許第６１１６４６１号および第６３３８００７号に見い出されうる。ある実施の形態では、コントローラ１０４は離れた場所にクリティカルアクセスモジュール１１０の駆動を示す信号を送信するよう構成されたトランシーバを含む。
【００１５】
撮像デバイス１２０はクリティカルアクセスモジュールと結合され、薬剤ステーション１００の近くの領域の少なくともひとつの画像を取得するよう構成される。ある実施の形態では、撮像デバイス１２０は、クリティカルアクセスモジュール１１０が起動されるとき、画像および／または他のデータの取得を始める。撮像デバイス１２０は静止画または動画を取得するよう構成される。ある実施の形態では、撮像デバイス１２０は静止画を取得するよう構成された静止画カメラである。ある実施の形態では、撮像デバイス１２０は動画および音声（例えば、オーディオ／ビデオストリーム）を取得するよう構成されたビデオカメラである。撮像デバイス１２０は、任意の数の向きにおける画像を取得するよう構成されており、それにしたがって配置されている。例えば、撮像デバイス１２０は、６つの主な向きすなわち前後左右上下における画像を取得するよう構成されてもよい。ある実施の形態では、撮像デバイス１２０は、画像のターゲット位置に依存した他の向き（例えば、開いている引き出し１０２の右側の画像を取得するための、右下向き）において画像を取得するよう構成されてもよい。ある実施の形態では、図１Ｂに示されるように、撮像デバイス１２０は薬剤ステーション１００の筐体１０８から離れた場所、例えば壁や天井に配置されてもよい。そのような実施の形態では、撮像デバイス１２０は薬剤ステーション１００の筐体１０８と、有線接続または無線接続により結合されてもよい。ある実施の形態では、追加的な画像データを得るために、薬剤ステーション１００上およびその周りに、追加的な撮像デバイス１２０が配置されてもよい。ある実施の形態では、撮像デバイス１２０は、クリティカルアクセスモジュール１１０を駆動するユーザの期待される位置の少なくともひとつと、医療品ステーション１００を囲む領域と、引き出し１０２と、を含む視野を有する。
【００１６】
ある実施の形態では、薬剤ステーション１００は、クリティカルアクセスモジュール１１０が駆動されたときに薬剤ステーションから取り除かれた物品を識別および／または追跡する他のデバイスを含む。例えば、薬剤ステーション１００は、緊急時に必要となる物品に設けられた無線識別（ＲＦＩＤ）タグを含んでもよい。
【００１７】
クリティカルアクセスモジュール１１０は、駆動されると、コントローラ１０４によって要求されるアクセス情報をバイパスし、引き出し１０２へのアクセスを実質的に即座に許可するよう構成される。クリティカルアクセスモジュール１１０は、薬剤ステーション１００に含まれる薬剤または補給品に実質的に即座にアクセスする必要がある状況において駆動されうる。例えば、通常の状況（例えば、緊急アクセスが必要とされない状況）では、コントローラ１０４は上述のように引き出し１０２へのアクセスを制御する。しかしながら、非常時のように引き出し１０２に緊急にアクセスする必要が生じた場合、クリティカルアクセスモジュール１１０はコントローラ１０４をバイパスし、引き出し１０２へのアクセスを提供する。
【００１８】
ある実施の形態では、クリティカルアクセスモジュール１１０を駆動することにより、薬剤ステーション１００は、コントローラ１０４を通じて（例えばコントローラ１０４に一時的な承認を提供することによって、）引き出し１０２へのアクセスを提供する。ある実施の形態では、クリティカルアクセスモジュール１１０は、薬剤ステーション１００に含まれる引き出し１０２のサブセットへのアクセスを提供する。例えば、クリティカルアクセスモジュール１１０は、ただひとつの引き出し１０２へのアクセスを提供する。ある実施の形態では、クリティカルアクセスモジュール１１０の駆動からある期間が経過した後、コントローラ１０４は薬剤ステーション１００に全ての引き出し１０２へのアクセスを制限させる。これは安全措置のためである。
【００１９】
ある実施の形態では、クリティカルアクセスモジュール１１０は図２Ａに示される通りのプッシュボタンである。プッシュボタンクリティカルアクセスモジュール１１０ａは、偶然による駆動を阻止するために容器１１２内に収容される。例えば、容器１１２は容易に破壊できるプラスチックまたはガラスにより形成されてもよい。プッシュボタンアクセスモジュール１１０ａは押されると駆動され、緊急時に必要とされる物品を含む薬剤ステーション１００の引き出し１０２へのアクセスを提供する。
【００２０】
ある実施の形態では、クリティカルアクセスモジュール１１０は図２Ｂに示されるような生体認証デバイスを含む。生体認証クリティカルアクセスモジュール１１０ｂは例えば指紋リーダであってもよい。権限を有するユーザの指紋が生体認証クリティカルアクセスモジュール１１０ｂに提供された場合、生体認証クリティカルアクセスモジュール１１０ｂは、緊急時に必要とされる物品を含む薬剤ステーション１００の引き出し１０２へのアクセスを提供する。ユーザを識別するよう構成されたクリティカルアクセスモジュール１１０を提供することによって、薬剤ステーション１００は、権限のないまたは不必要な物品へのアクセス（例えば、権限のないユーザが複数の薬剤ステーションから緊急時アクセス物品を不必要に得て集めようとすること）を禁止するために、所定の期間、ユーザが他の薬剤ステーション１００のクリティカルアクセスモジュール１１０を駆動することを禁じることができる。ある実施の形態では、生体認証クリティカルアクセスモジュール１１０ｂは、生体認証クリティカルアクセスモジュール１１０ｂを駆動しようとするユーザの識別情報を記録する。ある実施の形態では、生体認証クリティカルアクセスモジュール１１０ｂは、緊急時に必要とされる物品を含む薬剤ステーション１００の引き出し１０２へのアクセスを、権限の有るユーザに、権限の有るユーザの識別情報を記録することなしに、提供する。
【００２１】
不図示のある実施の形態では、クリティカルアクセスモジュール１１０はスイッチやトリガやセンサなどの別のタイプの駆動部であってもよい。不図示のある実施の形態では、クリティカルアクセスモジュール１１０は別のタイプの識別デバイスであってもよい。例えば、クリティカルアクセスモジュール１１０は、ＲＦＩＤリーダ、リアルタイムロケーティングシステム（ＲＴＬＳ）モジュール、キーリーダ、赤外線レシーバ、顔識別器、音声認証器、または（例えば磁気カードを通すことで駆動される）磁気ストライプリーダであってもよい。
【００２２】
ある実施の形態では、クリティカルアクセスモジュール１１０の認証の追加的なレベルを提供するために、薬剤ステーションは二次アクセスモジュール（不図示）を含んでもよい。二次アクセスモジュールは、ＲＦＩＤリーダや磁気ストライプリーダなどの素早い認証を容易とするデバイスであってもよい。クリティカルアクセスモジュール１１０に加えて認証の第２レベルを提供することによって、追跡および／または認証の追加的な形態が提供される。
【００２３】
図３は、クリティカルアクセスモジュール１１０が駆動され引き出し１０２へのアクセスが提供された後の図１Ａの薬剤ステーション１００を示す図である。引き出し１０２は薬や補給品などの物品を含み、そのような物品はユーザによって緊急時に必要とされる。医療品は薬剤を含んでもよい。ある実施の形態では、医療品は薬剤に限定される。物品は、引き出し１０２の複数の容器１０６のうちの任意のひとつに保持されうる。ある実施の形態では、緊急時に必要とされる物品を含む容器１０６は、視覚的または聴覚的インジケータによって示されてもよく、それによってユーザはその容器１０６に導かれる。ある実施の形態では、視覚的または聴覚的インジケータはコントローラ１０４のディスプレイまたはスピーカによって提供されてもよい。ある実施の形態では、緊急時に必要とされる物品を含む容器１０６は、その容器１０６の蓋がぽんと開くことによって、または、容器１０４を含む引き出し１０２がぽんと出てくることによって、示されてもよい。
【００２４】
図３に示される実施の形態では、クリティカルアクセスモジュール１１０が駆動されたので、撮像デバイス１２０は容器１０６のアクセスに関する画像および／または音声を記録するよう構成される。緊急時に必要とされる物品がアクセスされている間に薬剤ステーション１００の領域およびその周辺における活動を記録することによって、コントローラ１０４の通常の認証および追跡リソースがバイパスされている状況において、撮像デバイス１２０は物品へのアクセスを識別して追跡するためのリソースを提供する。
【００２５】
図４に示されるように、撮像デバイス１２０によって記録される画像および他のデータを、ネットワーク１４０を介して、セキュリティ端末１５０および薬局端末１６０などの離れた場所に送信することができる。ある実施の形態では、ネットワーク１４０に他のデバイスを接続してもよい。薬剤ステーション１００、セキュリティ端末１５０および薬局端末１６０のそれぞれは、有線接続または無線接続を介してネットワーク１４０に接続されてもよい。ネットワーク１４０はローカルエリアネットワークやワイドエリアネットワークであってもよく、例えばインターネットであってもよい。ある実施の形態では、画像データに加えて、薬剤ステーション１００によって警告（例えば「オペレーティングルーム３で危機」）がセキュリティ端末１５０または薬局端末１６０に送信されてもよい。
【００２６】
セキュリティ端末１５０に画像データを提供することによって、セキュリティ端末１５０のユーザは、薬剤ステーションのクリティカルアクセスモジュール１１０を誰が駆動したかを識別し、クリティカルアクセスモジュール１１０が不適切に駆動された（例えば、権限の無いユーザによって）場合は適切な行動をとることができる。薬局端末１６０に画像データを提供することによって、薬剤師または薬剤技師は緊急的にアクセスされた物品を追跡し、そのような物品を補充する必要があるかについて決定することができる。
【００２７】
図５に示されるように、薬局端末１６０などの遠隔端末に種々のタイプの画像データを提供することができる。図５は薬局端末１６０のディスプレイを示す。図５は、薬剤ステーション１００の前側を表す（例えば、クリティカルアクセスモジュール１１０を駆動したユーザを示す）画像５０２と、薬剤ステーション１００の左側を表す画像５０４と、薬剤ステーション１００の引き出し１０２の左側を表す画像５０６と、薬剤ステーション１００の後ろ側を表す画像５０８と、薬剤ステーション１００の右側を表す画像５１０と、薬剤ステーション１００の引き出し１０２の右側を表す画像５１２と、を含む。
【００２８】
図６は、ある実施の形態に係る別の薬剤ステーション６００を示す図である。薬剤ステーション６００は、蓋６０４によってそれへのアクセスが制限されている安全確保可能なコンパートメント６０２と、クリティカルアクセスモジュール１１０ｂと、遠隔デバイスへの接続部６０６と、を含む。薬剤ステーション６００は、薬剤の緊急頒布を提供するよう構成される。薬剤ステーション６００はクリティカルアクセスモジュール１１０ｂ（ここでは生体認証指紋リーダとして示されている）を通じて、介護士などの権限を有するユーザが、安全確保可能なコンパートメント６０２に安全に保持されている薬剤に緊急的にアクセスすることを可能とする。一方、薬剤ステーション６００は、権限の無いユーザに対してはアクセスを制限する。薬剤ステーション６００の遠隔デバイス接続部６０６はより大きな頒布ステーションのコントローラと通信するよう構成される。より大きな頒布ステーションは例えば米国特許第６１１６４６１号および第６３３８００７号を参照して上述された例示的な薬剤ステーションである。しかしながら、そのようなステーションは単に例示であり、本明細書で開示される薬剤ステーション６００は他の頒布ステーションにも使用されうる。
【００２９】
薬剤ステーション６００が他の頒布ステーションと通信可能であることにより、例えば、薬剤ステーション６００を既存の頒布ステーション上にまたはその近くに配置することができ、これによりその頒布ステーションの近くに薬剤や他の物品への緊急アクセスのためのリソースを追加できる。遠隔デバイス接続部６０６はさらに他の情報を、頒布ステーションまたは遠隔デバイスに提供することができる。そのような他の情報は、例えば、データや、時間や、ユーザ識別情報や、薬剤ステーション６００から緊急的に頒布された物品のタイプである。ある実施の形態では、薬剤ステーション６００は上述の撮像デバイス１２０を含むことができる。
【００３０】
本開示の実施の形態は、緊急ベースでの薬剤ステーションへのアクセスを可能とする。これは、セキュリティの確保および認証の制御を提供している間に達成されうる。緊急時のアクセスにより、介護士は緊急事態において緊急時に必要とされる品をより素早く提供することができ、これによって、患者の安全性が向上する。
【００３１】
本発明の所定の態様および実施の形態が説明されたが、これらは例示のみを目的として示されたものであって本発明の範囲を制限することを意図するものではない。むしろ、本明細書で説明された新規な方法およびシステムは、その精神から逸脱することなく、種々の他の形態で実現されうる。添付の特許請求の範囲およびその均等物は、本発明の範囲および精神に入るであろうそのような形態または変形例をもカバーするよう意図されている。
【図１Ａ】
2013501267.tif 000003
【図１Ｂ】
2013501267.tif 000004
【図２Ａ】
2013501267.tif 000005
【図２Ｂ】
2013501267.tif 000006
【図３】
2013501267.tif 000007
【図４】
2013501267.tif 000008
【図５】
2013501267.tif 000009
【図６】
2013501267.tif 000010
【国際調査報告】
2013501267.tif 000011
2013501267.tif 000012